(57)【要約】【課題】無線制御装置と無線装置との接続に係る運用変更を柔軟に実施可能とする。【解決手段】自装置と接続された無線装置宛てのデータブロックをそれぞれ送信する複数の無線制御装置と、自装置と接続された無線制御装置宛てのデータブロックをそれぞれ送信する複数の無線装置と、複数の無線制御装置と複数の無線装置との間に配置され、複数の送信ポートと、受信されたデータブロックの宛先と当該受信データブロックを送信すべき送信ポートとの対応関係を記憶するテーブルと、前記対応関係に応じて受信データブロックを対応する送信ポートへ振り分ける振分部と、前記対応関係を変更する前記テーブルの書換を制御する制御部とをそれぞれ含む１又は２以上の中継装置とを含む基地局装置である。【選択図】図５
2014121054.tif 000002
【特許請求の範囲】
【請求項１】
自装置と接続された無線装置宛てのデータブロックをそれぞれ送信する複数の無線制御装置と、
自装置と接続された無線制御装置宛てのデータブロックをそれぞれ送信する複数の無線装置と、
前記複数の無線制御装置と前記複数の無線装置との間に配置され、複数の送信ポートと、受信されたデータブロックの宛先と当該受信データブロックを送信すべき送信ポートとの対応関係を記憶するテーブルと、前記対応関係に応じて受信データブロックを対応する送信ポートへ振り分ける振分部と、前記対応関係を変更する前記テーブルの書換を制御する制御部とをそれぞれ含む１又は２以上の中継装置と、
を含む基地局装置。
【請求項２】
前記制御部は、或る無線制御装置に接続された無線装置が異なる無線制御装置に接続されるように、前記テーブルの書換を制御する
請求項１に記載の基地局装置。
【請求項３】
前記制御部は、或る無線制御装置と或る無線装置との間で送受信されるデータブロックの経路が変更されるように、前記テーブルの書換を制御する
請求項１又は２に記載の基地局装置。
【請求項４】
前記テーブルは、或る無線制御装置と或る無線装置との一方から他方へ送信されるデータブロックの宛先と当該データブロックを第１経路で伝送する送信ポートとの対応関係を示す第１対応関係と、当該データブロックの宛先と当該データブロックを第２経路で伝送する送信ポートとの対応関係を示す第２対応関係とを記憶し、
前記振分部は、前記第１対応関係の送信ポートと前記第２対応関係の送信ポートとの双方が利用可能であるときに前記第１対応関係の送信ポートにデータブロックを振り分け、前記第１対応関係の送信ポートが利用できないときに前記第２対応関係の送信ポートにデータブロックを振り分ける
請求項１から３のいずれか１項に記載の基地局装置。
【請求項５】
前記複数の中継装置は、或る無線制御装置と或る無線装置との一方から他方へ送信されるデータブロックが伝送される経路上にそれぞれ位置する第１中継装置及び第２中継装置を含み、
前記第２中継装置の制御部は、前記第１中継装置から受信された前記或る無線制御装置と前記或る無線装置との一方に宛てられたデータブロックが所定のエラーによって前記対応関係に応じた送信ポートから送信できない場合には、エラーメッセージを前記第１中継装置の制御部に通知し、
前記第１中継装置の制御部は、前記エラーメッセージの受信時に、前記データブロックの送信に利用した前記テーブル上の対応関係を利用できない状態に設定し、利用できない状態に設定された対応関係の代わりに前記データブロックを送信するために利用可能な他の対応関係がない場合には、新たなエラーメッセージを前記データブロックの送信元の対向装置へ送信する
請求項１から４のいずれか１項に記載の基地局装置。
【請求項６】
前記複数の中継装置は、或る無線制御装置と或る無線装置との一方から他方へ送信されるデータブロックが伝送される経路上にそれぞれ位置する第１中継装置及び第２中継装置を含み、
前記第２中継装置の制御部は、前記データブロックを送信すべき送信ポートが接続された物理回線の障害が検出された場合に、前記送信ポートから前記データブロックを送信す
るために利用される対応関係の全てを利用できない状態に設定し、利用できない状態に設定された対応関係の代わりに前記データブロックを送信するために利用可能な他の対応関係がない場合には、エラーメッセージを前記第１中継装置の制御部に通知し、
前記第１中継装置の制御部は、前記エラーメッセージの受信時に、前記データブロックの送信に利用した前記テーブル上の対応関係を利用できない状態に設定し、利用できない状態に設定された対応関係の代わりに前記データブロックを送信するために利用可能な他の対応関係がない場合には、新たなエラーメッセージを前記データブロックの送信元の対向装置へ送信する
請求項１から５のいずれか１項に記載の基地局装置。
【請求項７】
前記複数の無線制御装置及び前記複数の無線装置のそれぞれは、接続相手となる無線制御装置又は無線装置へ送信すべきデータブロックの伝送経路上に位置する１又は２以上の中継装置のそれぞれに対し、当該データブロックの宛先と、当該データブロックを宛先へ向けて送信する送信ポートとの対応関係が前記テーブルに記憶されるための制御信号を与える
請求項１から６のいずれか１項に記載の基地局装置。
【請求項８】
前記データブロックは、無線制御装置と無線装置との間で送受信される無線フレームが等分割された分割フレームであり、
前記分割フレームの空き領域に当該データブロックの宛先情報が格納される
請求項１から７のいずれか１項に記載の基地局装置。
【発明の詳細な説明】
【技術分野】
【０００１】
本開示は、基地局装置に関する。
【背景技術】
【０００２】
近年、携帯電話システムを含む無線通信システムは非常に重要な社会インフラとなっており、障害によるサービス運用停止の影響は小さくない。このため、無線通信システムの開発には、サービスの継続性や安定性が考慮される。また、無線端末の高機能化や、無線通信システムによるサービスの多様化・高度化により、携帯電話サービスにおけるデータ通信量が増えている。
【０００３】
３ＧＰＰ（3rd Generation Partnership Project）によって仕様化された無線通信方式の規格の一つに、3GPP Release.8としてリリースされたＬＴＥ（Long Term Evolution）
がある。ＬＴＥでは、基地局装置（ｅＮｏｄｅ  Ｂと呼ばれる）が、屋内設置のために、無線部と制御・ベースバンド部（「無線制御部」、「ベースバンド部」とも呼ばれる）とに分離され、両者が通信インタフェースで接続される。ＬＴＥにおいて、無線部は、ＲＲＨ（Radio Remote Head）と呼ばれ、制御・ベースバンド処理部は、ＢＢＵ（Base Band Unit）と呼ばれる。なお、ＢＢＵは、Radio Equipment Control(ＲＥＣ)と呼ばれ、ＲＲＨは、Radio Equipment(ＲＥ)と呼ばれることもある。
【０００４】
ＢＢＵとＲＲＨの間は、通常、ＣＰＲＩ（Common Public Radio Interface）によって
接続される。ＣＰＲＩは、ＢＢＵ-ＲＲＨ間インタフェースの一つである。ＣＰＲＩが適
用される場合、ＣＰＲＩプロトコルに従って、ベースバンド信号（ＩＱデータ）や、保守監視信号を含むＣＰＲＩ信号がＢＢＵとＲＲＨとの間で送受信される。ＲＲＨは、一般に、ＣＰＲＩ信号を送受信する光回線（光ファイバ）で接続されることによって、ＢＢＵから数ｋｍ離れた場所に設置することが可能である。
【先行技術文献】
【特許文献】
【０００５】
【特許文献１】特表２００７−５２９９２６号公報
【特許文献２】特開２０１１-１７１９６１号公報
【特許文献３】国際公開ＷＯ２００８／１１４３５１号公報
【特許文献４】国際公開ＷＯ２０１０／０４４１４２号公報
【特許文献５】特開２０１１-１３０１７９号公報
【発明の概要】
【発明が解決しようとする課題】
【０００６】
通常、１つのＢＢＵに対し、複数のＲＲＨが接続されて、複数のセル又はセクタが運用される。ＢＢＵとＲＲＨとの接続にＣＰＲＩが使用されている場合、ＢＢＵとＲＲＨとを接続するＣＰＲＩプロトコルは、レイヤ２以上のレイヤに関して、ＢＢＵとＲＲＨとの間で終端される。このため、ＢＢＵとＲＲＨとの接続関係を変更する場合には、ＢＢＵとＲＲＨとの間にある全ての経路の設定や物理接続の変更が伴っていた。
【０００７】
本開示は、ＢＢＵ（無線制御装置）とＲＲＨ（無線装置）との接続に係る運用変更を柔軟に実施可能な技術を提供することを課題とする。
【課題を解決するための手段】
【０００８】
本開示は、自装置と接続された無線装置宛てのデータブロックをそれぞれ送信する複数
の無線制御装置と、
自装置と接続された無線制御装置宛てのデータブロックをそれぞれ送信する複数の無線装置と、
前記複数の無線制御装置と前記複数の無線装置との間に配置され、複数の送信ポートと、受信されたデータブロックの宛先と当該受信データブロックを送信すべき送信ポートとの対応関係を記憶するテーブルと、前記対応関係に応じて受信データブロックを対応する送信ポートへ振り分ける振分部と、前記対応関係を変更する前記テーブルの書換を制御する制御部とをそれぞれ含む１又は２以上の中継装置と、
を含む基地局装置である。
【発明の効果】
【０００９】
本開示によれば、無線制御装置と無線装置との接続に係る運用変更を柔軟に実施することができる。
【図面の簡単な説明】
【００１０】
【図１】図１は、ＣＰＲＩプロトコルのレイヤ構成を示す。
【図２】図２は、実施形態における基地局装置の全体構成例を示す。
【図３Ａ】図３Ａは、基地局装置に含まれるＢＢＵ（ＢＢＵ装置）及びＲＲＨ（ＲＲＨ装置）の機能ブロック構成例を示す。
【図３Ｂ】図３Ｂは、図３Ａに示したＢＢＵ及びＲＲＨのハードウェアブロック構成例を示す。
【図４】図４は、基地局装置に適用される、ＢＢＵ-ＲＲＨ間インタフェースプロトコルのプロトコルスタックの説明図である。
【図５】図５は、レイヤ２ｂ及びレイヤ２ａの機能を説明する図である。
【図６】図６は、ＣＰＲＩインタフェース部の構成例を示す図である。
【図７Ａ】図７Ａは、中継装置の機能ブロック構成例を示す。
【図７Ｂ】図７Ｂは、中継装置のハードウェアブロック構成例を示す。
【図８】図８は、振分テーブルのデータ構造例を示す。
【図９】図９は、中継装置での処理の概要説明図である。
【図１０】図１０は、基地局システムのレイヤ２ａに係る設定例を示す。
【図１１Ａ】図１１Ａは、図１０に示した中継装置＃２のポート番号“Ｐ２”を有する受信ポートに対応する振分テーブルの登録内容例を示す。
【図１１Ｂ】図１１Ｂは、図１０に示した中継装置＃４のポート番号“Ｐ２”を有する受信ポートに対応する振分テーブルの登録内容例を示す。
【図１２】図１２は、中継装置にて実行されるエラー検出処理の例を示すフローチャートである。
【図１３】図１３は、中継装置におけるエラーメッセージ処理の例を示すフローチャートである。
【図１４】図１４は、中継装置が有する管理テーブルのデータ構造例を示す。
【図１５】図１５は、受信側対向装置としての中継装置がエラーメッセージを受信した場合における制御動作例を示す図である。
【図１６】図１６は、ＢＢＵとＲＲＨとの間の経路変更に係る状況の説明図である。
【図１７】図１７は、中継装置の制御コマンド送信に係る処理を示すフローチャートである。
【図１８】図１８は、中継装置における制御コマンド受信時の処理例を示すフローチャートである。
【図１９】図１９は、伝送路障害時における中継装置での処理例を示すフローチャートである。
【図２０】図２０は、伝送路障害時における動作を示すシーケンス図である。
【図２１】図２１は、実施形態に係る基地局装置（基地局システム）の運用例を示す説明図である。
【図２２】図２２は、実施形態に係る基地局装置（基地局システム）の運用例を示す説明図である。
【発明を実施するための形態】
【００１１】
以下、図面を参照して本発明の実施形態を説明する。実施形態の構成は例示であり、本発明は、実施形態の構成に限定されない。
【００１２】
基地局（ｅＮｏｄｅ  Ｂ）に含まれるＢＢＵとＲＲＨとは、一般に、ＢＢＵ-ＲＲＨ間
インタフェースの一つであるＣＰＲＩに準拠した光インタフェース又は電気インタフェースを介して接続される。ＢＢＵは、ベースバンド信号を生成してＲＲＨに伝送し、ＲＲＨは、ベースバンド信号を無線信号（ＲＦ信号）に変換してアンテナから出力する。
【００１３】
図１は、ＣＰＲＩプロトコルのレイヤ構成を示す。図１において、レイヤ１は、光信号または電気信号による物理伝送路を定義する。レイヤ２は、レイヤ３のユーザプレーンのデータ（ユーザデータ：ベースバンド信号）と、ＣＰＲＩリンクの保守監視・制御信号である制御管理（Ｃ＆Ｍ）プレーンのデータ（Ｃ＆Ｍデータ）などを割り付けるビットマップを定義している。また、レイヤ３は、アプリケーションレイヤであり、ユーザプレーンや、ＢＢＵとＲＲＨとの間の保守監視や制御信号のフォーマット（Ｃ＆Ｍプレーン）などが定義される。
【００１４】
ＣＰＲＩプロトコルのレイヤ２は、次のような構造を有する。すなわち、ＣＰＲＩでは、ＢＢＵとＲＲＨとの間で送受信されるデータは、ＵＭＴＳ（Universal Mobile Telecommunications System）フレームと呼ばれる（ＣＰＲＩフレームとも呼ばれる）無線フレーム単位で伝送される。ＣＰＲＩでは、ＵＭＴＳフレームは、ハイパーフレーム（Hyper Frame）と呼ばれる１５０個の無線データ（セグメント）に分割される。
【００１５】
ハイパーフレームは、２５６個の、ベーシックフレームと呼ばれる３．８４ＭＨｚのフレームが集合することで形成される。なお、ベーシックフレーム、ハイパーフレーム、及びＵＭＴＳフレームの長さは、それぞれ、約２６０ｎｓ，６６．６７μｓ，１０ｍｓである。
【００１６】
ハイパーフレームは、ベースバンド信号（ユーザデータ）がＩＱデータとして記述される（ディジタルマッピングされる）領域（ＩＱデータ領域）と、保守監視・制御信号（Ｃ＆Ｍデータ）に相当する制御ワード（Control word）が記述される領域（制御ワード領域）とを含む。制御ワード領域は、ＣＰＲＩプロトコルを制御及び監視するための制御コマンドを格納する領域や、レイヤ３における保守監視チャネルを形成する領域などを有する。
【００１７】
ＣＰＲＩプロトコルの制御及び監視は、ＣＰＲＩリンクのネゴシエーションやレイヤ１の保守監視制御の機能を有する。さらに、ハイパーフレームは、ベンダが自由に使用可能な領域（Vender Specific領域と呼ばれる）を有している。
【００１８】
ＢＢＵとＲＲＨとを接続するＣＰＲＩプロトコルでは、レイヤ２以上のレイヤがＢＢＵとＲＲＨとの間で終端される。このため、ＢＢＵとＲＲＨとの接続関係の変更には、ＢＢＵとＲＲＨとの間の全経路の設定変更や物理接続の変更が伴う。これより、以下のような問題があった。
（１）ＢＢＵとＲＲＨとの接続関係が固定的であるため、ＢＢＵの余剰リソースを他の基地局（セル／セクタ）に融通することができない。
（２）ＢＢＵまたはＲＲＨの障害時に、他の装置を用いて運用を代替することができない
。
（３）ＢＢＵとＲＲＨとの間に複数の経路を設定しておき、運用中に無線信号の伝送経路を変更する運用ができない。例えば、ＢＢＵとＲＲＨとを結ぶ経路上にある伝送装置の故障時に、経路の一部区間を切り替えることができない。
【００１９】
実施形態に係る基地局装置（基地局システム）は、ＢＢＵとＲＲＨとの接続に係る運用変更を柔軟に実施するため以下のような構成を採用する。運用変更の柔軟な実施は、システムの運用中におけるＢＢＵとＲＲＨとの間のデータ（信号）の伝送経路の変更や、ＲＲＨの接続先のＢＢＵの変更を含む。
＜基地局装置（基地局システム）の構成＞
【００２０】
図２は、実施形態における基地局装置の全体構成例を示す。基地局装置は、移動通信システム（携帯電話（セルラーフォン）システム）に適用される。実施形態の説明では、移動通信システムの例として、ＬＴＥに準拠した移動通信システムを例示するが、他の通信規格に準拠する移動通信システムについても適用可能である。
【００２１】
図２には、実施形態に係る基地局装置として、複数のＢＢＵ１１と、複数のＲＲＨ１２と、複数の中継装置１３とを備える基地局装置（基地局システム）１０が示されている。ＢＢＵ１１は、無線制御装置の一例であり、ＲＲＨ１２は、無線装置の一例である。
【００２２】
図２に示す例では、２つのＢＢＵ１１（１１Ａ，１１Ｂ）と、３つのＲＲＨ１２（１２Ａ，１２Ｂ，１２Ｃ）とが４つの中継装置１３（１３Ａ，１３Ｂ，１３Ｃ，１３Ｄ）を介して接続されている。
【００２３】
ＢＢＵ１１-中継装置１３間、中継装置１３間、中継装置１３-ＲＲＨ１２間は、ＢＢＵ-ＲＲＨ間インタフェースの仕様に応じた物理ケーブル（光ファイバ又は電気ケーブル）
で接続される。
【００２４】
図２に示す例では、ＢＢＵ１１Ａは、中継装置１３Ａに接続されており、ＢＢＵ１１Ｂは、中継装置１３Ｂに接続されている。中継装置１３Ａ〜１３Ｄは、相互に接続されている。ＲＲＨ１２Ａは、中継装置１３Ｃに接続されており、ＲＲＨ１２Ｂは、中継装置１３Ｄに接続されている。ＢＢＵ１１Ａ及びＢＢＵ１１Ｂは、保守サーバ１５と接続されている。保守サーバ１５は、ＢＢＵ１１Ａ及びＢＢＵ１１Ｂの保守・管理を行う。
＜ＢＢＵ及びＲＲＨの構成＞
＜＜ＢＢＵの構成＞＞
【００２５】
図３Ａは、基地局装置１０に含まれるＢＢＵ装置としてのＢＢＵ１１（ＢＢＵ１１Ａ，１１Ｂ）及びＲＲＨ装置としてのＲＲＨ１２（ＢＢＵ１２Ａ，１２Ｂ，１２Ｃ）の機能ブロック構成例を示し、図３Ｂは、図３Ａに示したＢＢＵ１１及びＲＲＨ１２のハードウェアブロック構成例を示す。但し、図３Ａ及び図３Ｂでは、中継装置１３は簡略的に図示されている。実施形態に係るＢＢＵ１１及びＲＲＨ１２は、ＢＢＵ−ＲＲＨ間インタフェースに係る構成を除き、一般的なＢＢＵ及びＲＲＨの構成及び機能を有する。
【００２６】
図３Ａに示される例では、ＢＢＵ１１は、保守監視制御部１１１と、呼処理部１１２と、ベースバンド部１１３と、ＣＰＲＩ処理部１１４と、伝送路インタフェース（伝送路ＩＦ）１１５と、光モジュール１１６とを含む。
【００２７】
伝送路ＩＦ１１５は、イーサネット（登録商標）のようなＬＡＮ（Local Area Network）を伝送路として収容する。伝送路上には、基地局装置１０とコアネットワーク上の上位装置（ＭＭＥ／ＵＰＥ（Mobile Management Entity/User Plane Entity）：図示せず）と
の接続に使用されるＳ１インタフェース（Ｓ１回線）と、基地局装置１０と隣接基地局（図示せず）との接続に使用されるＸ２インタフェース（Ｘ２回線）が形成される。伝送路ＩＦ１１５は、Ｓ１及びＸ２インタフェースの終端処理を行う。ＢＢＵ１１は、伝送路ＩＦ１１５によって、コアネットワークや他基地局との間でＩＰ（Internet Protocol）パ
ケットの送受信を行うことができる。伝送路ＩＦ１１５は、ＩＰパケットに係る処理を行う。
【００２８】
保守監視制御部１１１は、基地局装置１０の全体の制御や、ＢＢＵ１１，ＲＲＨ１２及び中継装置１３の監視制御、及びＯＡＭ（Operations, Administration, and Maintenance）処理を行う。保守監視制御部１１１は、監視制御の一つとして、後述するＢＢＵ-ＲＲＨ間インタフェースプロトコルに係る制御を行う。呼処理部１１２は、基地局装置１０と接続された無線端末（User Equipment (UE):図示せず）の発信や、相手方の端末からの着信に係る呼処理を行う。
【００２９】
ベースバンド部１１３は、主としてＩＰパケットとベースバンド信号（ＯＦＤＭ（Orthogonal Frequency Division Multiplexing）信号）との変換（変復調）を行うための多値変調処理及びＯＦＤＭ処理のようなディジタルベースバンド処理を行う。
【００３０】
ＣＰＲＩインタフェース部１１４は、ＢＢＵ−ＲＲＨ間インタフェースプロトコル（以下、単に「ＩＦプロトコル」と表記）に従って、ベースバンド信号（ユーザデータ）や制御信号をＲＲＨ１２（中継装置１３）との間でやりとりするためのＩＦプロトコル処理を行う。ＣＰＲＩインタフェース部１１４の詳細は後述する。
【００３１】
また、図３Ａに示すように、ＣＰＲＩインタフェース部１１４は、保守監視制御部１１１及び呼処理部１１２と、制御信号を送受信するための伝送路１１７を介して接続されている。なお、ユーザデータは、ＣＰＲＩインタフェース部１１４-ベースバンド部-伝送路ＩＦ１１５の経路上で送受信される。
＜＜ＲＲＨの構成＞＞
【００３２】
一方、ＲＲＨ１２は、光モジュール１２７と、ＣＰＲＩインタフェース部１２１と、ＣＰＲＩインタフェース部１２１に接続された直交変復調部１２２と、直交復変調部１２２に接続された受信アンプ部１２３及び送信アンプ部１２４と、ＣＰＲＩインタフェース部１２１に接続された保守監視制御部１２５とを含む。受信アンプ部１２３及び送信アンプ部１２４はアンテナ部１２６に接続されている。
【００３３】
ＣＰＲＩインタフェース部１２１は、ＩＦプロトコルに従って、ベースバンド信号（ユーザデータ）や制御信号をＢＢＵ１１（中継装置１３）との間でやりとりするためのＩＦプロトコル処理を行う。詳細は後述する。
【００３４】
直交変調処理部１２２は、ＣＰＲＩインタフェース部１２１から得られるベースバンド信号（ユーザデータ）を、無線周波数（ＲＦ）を有するＲＦ信号（アナログ信号）に変換する直交変調処理と、受信アンプ部１２３から得られるＲＦ信号をベースバンド信号（ユーザデータ）に変換する直交復調処理とを行う。
【００３５】
送信アンプ部１２４は、ＲＦ信号を電波の周波数にアップコンバートするアップコンバータと電波を増幅する送信増幅器（パワーアンプ）とを含む。受信アンプ部１２３は、アンテナ部１２６からの電波を増幅する受信増幅器（例えばローノイズアンプ）と、増幅された電波を直交変復調部１２２で処理するための周波数に変換するダウンコンバータとを含む。
【００３６】
アンテナ部１２６は、送受信アンテナと、送信アンプ部１２４からの電波をアンテナに送り、アンテナから受信された電波を受信アンプ部１２３に送るデュプレクサとを含む。なお、アンテナ部１２６は、送信アンプ部１２４からの電波を放射する送信アンテナと、受信アンプ部１２３へ供給する移動端末からの電波を受信する受信アンテナとを有していても良い。このように、アンテナ部１２６で、基地局装置１０に接続された移動端末との無線通信（電波の送受信）が行われる。
【００３７】
保守監視制御部１２５は、ＲＲＨ１２の全体の監視制御を行う。また、保守監視制御部１２５は、ＩＦプロトコルに係る監視制御を行う。保守監視制御部１２５は、ＩＦプロトコルに係る監視制御に関して、保守監視制御部１１１と同等の機能を有する。なお、保守監視制御部１１１及び１２５のそれぞれは、制御部又は制御装置の一例である。
＜＜ＢＢＵ、ＲＲＨのハードウェア構成＞＞
【００３８】
図３Ｂに示すように、図３Ａに示したＢＢＵ１１の保守監視制御部１１１及び呼処理部１１２は、プロセッサの一例であるＭＰＵ（Micro Processing Unit、ＣＰＵともいう）
１１１ａ及びメモリ１１１ｂによって実現することができる。
【００３９】
メモリ１１１ｂは、不揮発性記憶媒体（例えば、ＲＯＭ、ＥＥＰＲＯＭ、フラッシュメモリ、ハードディスクなど）と揮発性記録媒体（ＲＡＭ、ＤＲＡＭなど）を含み、ＭＰＵ１１１ａによって実行される各種のプログラムと、プログラムの実行時に使用されるデータを記憶する。保守監視制御部１１１及び呼処理部１１２によって行われる処理は、ＭＰＵ１１１ａのプログラム実行によって実現される機能である。
【００４０】
伝送路ＩＦ１１５は、ネットワークプロセッサ（ＮＷＰ）１１５Ａを用いて実現される。伝送路ＩＦ１１５として、ＬＡＮを収容するＮＩＣ（ネットワークインタフェースカード）を適用することもできる。また、ベースバンド部１１３は、プロセッサの一例であるＤＳＰ（Digital Signal Processor）１１３ａと、ＤＳＰ１１３ａによって実行されるプログラムとプログラム実行時に使用されるデータとを記憶するメモリ１１３ｂとを用いて実現することができる。メモリ１１３ｂは、上述したような揮発性記録媒体と不揮発性記録媒体とを含む。
【００４１】
ＣＰＲＩインタフェース部１１４は、ＦＰＧＡ（Field Programmable Gate Array）１
１１４ａを用いて実現することができる。図３Ｂでは、ＭＰＵ１１１ａ（保守監視制御部１１１，呼処理部１１２），ＮＷＰ１１５Ａ（伝送路ＩＦ１１５），ＤＳＰ１１３ａ（ベースバンド部１１３），ＦＰＧＡ１１４ａ（ＣＰＲＩインタフェース部１１４）がスイッチ回路（ＳＷ）１１１ｃを介して接続されている。当該構成により、ユーザデータは、ＮＷＰ１１５Ａ-ＳＷ１１１ｃ-ＤＳＰ１１３ａ-ＦＰＧＡ１１４ａの経路上で送受信される
。一方、制御信号は、ＦＰＧＡ１１４ａ-ＳＷ１１１ｃ-ＭＰＵ１１１ａの経路上で送信される。
【００４２】
ＲＲＨ１２に含まれるＣＰＲＩインタフェース部１２１は、ＦＰＧＡ１２１ａを用いて実現される。また、直交変復調部１２２も、ＦＰＧＡ１２２ａを用いて実現することができる。ＦＰＧＡ１２１ａとＦＰＧＡ１２１ｂとは統合可能である。
【００４３】
そして、保守監視制御部１２５は、プロセッサの一例であるＭＰＵ（ＣＰＵ）１２５ａとメモリ１２５ｂとを用いて実現することができる。メモリ１２５ｂは、ＭＰＵ１２５ａによって実行されるプログラムとプログラム実行時に使用されるデータとを記憶する。メモリ１２５ｂは、上述したような揮発性記録媒体と不揮発性記録媒体とを含む。
【００４４】
メモリ１１１ｂ，１１３ｂ，１２５ｂは、記憶装置の一例である。上記したＭＰＵ１１
１ａ，ＭＰＵ１２５ａ，ＤＳＰ１１３ａ，ＦＰＧＡ１１４ａ，ＦＰＧＡ１２１ａ，ＦＰＧＡ１２２ａのそれぞれによって実現される機能は、ＡＳＩＣ（Application Specific Integrated Circuit）のような専用のハードウェア（電子回路）、或いは専用ハードウェア
と汎用ハードウェアとの組み合わせによって実現されるようにしても良い。
＜ＣＰＲＩインタフェース部の構成＞
次に、ＣＰＲＩインタフェース部１１４及び１２１の構成例について説明する。
＜＜プロトコル構成＞＞
【００４５】
最初に、ＢＢＵ１１，ＲＲＨ１２，中継装置１３でそれぞれ使用されるＩＦプロトコルについて説明する。図４は、基地局装置１０に適用される、ＢＢＵ-ＲＲＨ間インタフェ
ースプロトコルのプロトコルスタックの説明図である。図４に示すＩＦプロトコルは、ＣＰＲＩプロトコル（図１）の改良に相当する。
【００４６】
図４に示すように、ＩＦプロトコルは、ＣＰＲＩプロトコルにおけるレイヤ３の下に、レイヤ２の代わりのレイヤ２ｂ，レイヤ２ａ，及びレイヤ１が配置された構造を有する。レイヤ２ｂはレイヤ２ａの上位に配置される。
【００４７】
レイヤ２ｂは、レイヤ３（ＣＰＲＩプロトコルのレイヤ３と同等）の直下に配置される。レイヤ２ｂは、レイヤ３とのインタフェースとして、ＣＰＲＩプロトコルのレイヤ２が有するレイヤ３とのインタフェースと同等のインタフェースを有する。
【００４８】
図５は、レイヤ２ｂの機能を説明する図である。レイヤ２ｂは、レイヤ３から、１つのＵＭＴＳフレーム分のデータ（レイヤ３のデータ（ユーザデータ，Ｃ＆Ｍデータなど））を得る。当該データは、１５０個のハイパーフレーム（＃０〜＃１４９）に対応するデータに分割される。ここに、ＵＭＴＳフレームは、無線フレームの一例である。
【００４９】
レイヤ２ｂは、所定数（Ｎ個）のハイパーフレーム単位でＵＭＴＳフレームが分割された複数の分割フレームを生成する。すなわち、レイヤ２ｂは、１５０個のハイパーフレームを生成し、ハイパーフレームを所定数Ｎでまとめることで、基地局１０の装置間で送受信される最小伝送単位のフレームを生成する。当該フレームを、本明細書では分割フレームと呼ぶ。分割フレームは無線フレームの等分割により得られたデータブロックの一例である。
【００５０】
分割フレームのサイズ（ハイパーフレームの数Ｎ）は、システム（基地局装置１０内）で固定される（固定サイズを有する）。Ｎの値は、１つのＵＭＴＳフレームから生成される分割フレームのサイズを均一にするため、ハイパーフレーム数である１５０を等分可能な１５０の約数の中から選択される。なお、ユーザデータは、ＩＱデータとして、ハイパーフレーム中のＩＱデータ領域にディジタルマッピングされ、Ｃ＆Ｍデータは、レイヤ２ｂの制御ワード領域にマッピングされる。
【００５１】
また、レイヤ２ｂは、分割フレーム中のハイパーフレームの制御ワード領域に含まれるVender Specific領域や予約（Reserve）領域のような、未定義領域（空き領域）に所定データを格納することによって、分割フレームのヘッダを生成する。これによって、空き領域の有効利用を図ることができる。
【００５２】
分割フレームのヘッダは、少なくとも分割フレームの宛先ＩＤを含む。宛先ＩＤとして、分割フレームの宛先に該当するＢＢＵ１１，ＲＲＨ１２，中継装置１３に与えられた固有の識別子（ＩＤ）が設定される。
【００５３】
また、分割フレームのヘッダには、制御コマンドが設定される場合もある。制御コマン
ドは、制御種別（制御コマンドＩＤ），制御対象の装置ＩＤ（宛先ＩＤ）を含む。さらに制御コマンドは、制御種別に応じて制御対象の受信ポートの識別子（受信ポート番号）を含むことができる。制御種別は、「リセット（再起動）」，「閉塞」，「振分テーブル書換」を含む。
【００５４】
レイヤ２ａは、ＣＰＲＩプロトコルのレイヤ２と同等の機能と、ＩＦプロトコルにおけるレイヤ１とのインタフェースとして、ＣＰＲＩプロトコルにおけるレイヤ１とレイヤ２との間のインタフェースと同等のインタフェースを有する。レイヤ２ａは、装置間（ＢＢＵ１１-ＲＲＨ間，ＢＢＵ１１-中継装置１３間，ＲＲＨ１２-中継装置１３間，中継装置
１３間）の接続を終端する。
【００５５】
レイヤ２ａでは、一定サイズのデータを格納する枠（スロットと呼ぶ）を装置間のレイヤ１上に生成する。スロットのサイズは、レイヤ２ｂにおける分割フレームのサイズと同じである。
【００５６】
さらに、レイヤ２ａは、所定数（Ｍ個）のスロットを１セットとして、スロットセット（コンテナ）と呼ばれる伝送単位に格納する。Ｍの値は、装置間のレイヤ１における物理回線の帯域に応じて決定される。Ｍの値は、１つのＵＭＴＳフレーム時間間隔（或るＵＭＴＳフレームが到達してから次のＵＭＴＳフレームが到達するまでの時間）内にＩＱデータが確実にＢＢＵ１１とＲＲＨ１２との間で伝送可能となるように決定される。したがって、Ｍの値（スロットセット（コンテナ）のサイズ）は、装置間の物理回線の帯域に応じて異なる。
【００５７】
レイヤ１では、コンテナを所定の伝送方式で対向装置へ送出する。本実施形態では、対向装置間が光インタフェースで接続されており、コンテナ（電気信号）は、送信側の光モジュールで光信号に変換されて物理ケーブル（光ファイバ）へ送出される。また、受信側の光モジュールは、物理ケーブル（光ファイバ）から受信される光信号を電気信号（コンテナ）に変換する。
【００５８】
このように、実施形態のＩＦプロトコルでは、レイヤ２ｂ及びレイヤ２ａの機能によって、ＵＭＴＳフレームに格納されるデータが、Ｎ個のハイパーフレームで形成された分割フレームにマッピングされ、Ｍ個の分割フレームを格納するコンテナ単位で宛先（対向装置）へ送出される。
【００５９】
上記したＩＦプロトコルは、ユーザデータに関しては、ＣＰＲＩプロトコルのレイヤ２以下をＩＦプロトコルのレイヤ２ｂ以下に置き換えることで実現可能である。
＜＜ＣＰＲＩインタフェース部の装置構成＞＞
【００６０】
図６は、図３Ａに示したＣＰＲＩインタフェース部１１４及び１２１の詳細を示す図である。ＣＰＲＩインタフェース部１１４とＣＰＲＩインタフェース部１２１とは同じ構成を有することができる。例として、ＣＰＲＩインタフェース部１１４について説明する。ＣＰＲＩインタフェース部１１４は、複数の送信ポート２１と受信ポート２２との組を有している。送信ポート２１と受信ポート２２との組毎に、送信部２３及び受信部２４が設けられる。
【００６１】
送信部２３は、上述したＩＦプロトコルのレイヤ２ｂ及びレイヤ２ａに係る処理として、ＵＭＴＳフレームのデータから分割フレームを生成する処理、分割フレームにヘッダを付与する処理，分割フレームをスロットセットに格納する処理を行う。コンテナは、送信ポート２１から送出される。宛先ＩＤや制御コマンドは、ＣＰＲＩの上位アプリケーションに係る処理を実行する保守監視制御部１１１（１２５）から、ＣＰＲＩインタフェース
部１１４（１２１）に供給される。送信部２３は、供給された宛先ＩＤや制御コマンドをヘッダとして設定する。
【００６２】
送信ポート２１と受信ポート２２との各組は、光モジュール（Ｅ／Ｏ変換装置）１１６（ＣＰＲＩインタフェース部１２１の場合は光モジュール１２７）と接続されている。光モジュール１１６（光モジュール１２７）は、送信ポート２１及び受信ポート２２の組に対応する１以上の光ファイバ（光回線）を収容しており、送信ポート２１からのコンテナを光信号に変換する電気-光変換を行い、光信号を光ファイバに送出する。また、光モジ
ュール１１６（光モジュール１２７）は、光ファイバから受光された光信号を光-電気変
換により電気信号（スロットセット）に変換し、対応する受信ポート２２に送出する。
【００６３】
受信部２２は、光モジュール１１６（光モジュール１２７）からスロットセットが受信された場合に、スロットセットの各スロットから分割フレームを得る処理、分割フレームからＵＭＴＳフレーム分のデータを生成する処理を行う。ＵＭＴＳフレーム分のデータのうち、ユーザデータはベースバンド部１１３に送られ、制御信号は伝送路１１７を介して呼処理部１１２又は保守監視制御部１１１に送られる。これに対し、ＣＰＲＩインタフェース部１２１の受信部２２は、分割フレームの組み立てによってＵＭＴＳフレーム分のデータを生成した場合には、ＵＭＴＳフレーム分のデータのうち、ユーザデータは直交変復調部１２２に送り、制御信号は保守監視制御部１２５へ送る。
＜中継装置の構成＞
【００６４】
図７Ａは、中継装置１３（１３Ａ，１３Ｂ，１３Ｃ）の機能ブロック構成例を示し、図７Ｂは、中継装置１３（１３Ａ，１３Ｂ，１３Ｃ）のハードウェアブロック構成例を示す。  図５Ａにおいて、中継装置１３は、複数の（２以上の）送受信ポート（＃０〜＃ｎ）を含んでいる。各送受信ポートは、送信ポートと受信ポートとを含む。各送受信ポートには、所定のポート番号が付与されている。本実施形態では、受信ポート番号と送信ポート番号とは同じ番号を用いる。但し、異なる番号が使用されても良い。
【００６５】
送受信ポート毎に、受信部１３１，振分処理部１３２，送信部１３３，及び振分処理部１３２によって参照される振分テーブル１３４が設けられている。各送受信ポートに対応する振分処理部１３２及び送信部１３３は、スイッチ（ＳＷ）１３５に接続されている。スイッチ１３５は、制御部１３８に接続されている。
【００６６】
各送受信ポートは、ＩＦプロトコルにおけるレイヤ１において、装置間で直接に接続される。具体的には、受信部１３１及び送信部１３３の各組は、レイヤ１における光-電気
変換を行う光モジュール１３７と接続されている。
【００６７】
各受信部１３２は、対応する受信ポートからスロットセット（コンテナ）を受信する。各受信部１３２は、スロットセット中の各スロットからＭ個の分割フレームを取得し、振分処理部１３２に供給する。
【００６８】
各振分処理部１３２は、分割フレームに付与されたヘッダの宛先ＩＤと、対応する振分テーブル１３４とを参照し、ヘッダに含まれた宛先ＩＤに対応する送信ポート番号を得る。各振分処理部１３２は、送信ポート番号を分割フレームに付与して、スイッチ１３５に送る。
【００６９】
振分テーブル１３４は、受信した信号（分割フレーム）の宛先と送信ポートの変換テーブルである。振分テーブル１３４は、中継装置１３の受信ポート毎に用意されることができる。
【００７０】
図８は、振分テーブル１３４のデータ構造例を示す。振分テーブル１３４は、宛先ＩＤに対応するエントリを格納する。エントリは、宛先ＩＤに対応する送信ポート番号と、送信ポート番号に対する優先度と、状態とを示す情報を格納する。すなわち、エントリは、宛先ＩＤ（分割フレームの宛先）と送信ポート番号（分割フレームの送信ポート）との対応関係を記憶する。
【００７１】
振分テーブル１３４には、１つの宛先ＩＤに対して複数の送信ポート番号を含むエントリを登録することができる。優先度は、同一の送信ポート番号が登録された複数のエントリに対する使用の優先順位を示す。振分テーブル１３４に登録された状態が「正常」のエントリに従って送信ポートから分割フレームを転送すれば、物理回線の障害を含むエラーが発生しない限り、下流側の中継装置１３（存在する場合）を通じて宛先ＩＤの装置に分割フレームが受信されるようになっている。
【００７２】
例えば、図８の例では、宛先ＩＤ“００１００２”に対して送信ポート番号“ポート＃３”のエントリ（第１経路に対応する第１対応関係の一例）と、送信ポート番号“ポート＃２”のエントリ（第２経路に対応する第２対応関係の一例）が登録されている。そして、“ポート＃３”の優先度は“１”であり、“ポート＃２”の優先度は“２”である。この場合、送信ポート番号“ポート＃３”を有するエントリが優先的に使用される。
【００７３】
さらに、各エントリは、各送信ポートを管理するために、送信ポートの状態を示すデータが記憶される。送信ポートの状態は、例えば、“正常”，“障害”，“閉塞”のいずれかで定義される。状態“正常”は、同一エントリ中の送信ポート番号で特定される送信ポートが信号を宛先ＩＤを有する装置へ伝送可能な状態を示す。状態“障害”は、当該送信ポートから信号を宛先ＩＤを有する装置へ伝送できない状態を示す。状態“閉塞”は、ユーザデータに関して当該送信ポートの運用を停止している状態を示す。閉塞状態では、ユーザデータは転送できなくなるが、制御コマンドは転送可能な状態となる。
【００７４】
図８に示す例では、例えば、上記した宛先ＩＤ“００１００２”に対応する“ポート＃３”のエントリにおける状態として“障害”が格納され、“ポート＃２”のエントリにおける状態として“正常”が格納されている。この場合、“ポート＃３”のエントリは振分処理で使用されず、“ポート＃２”のエントリが振分処理に使用される。
【００７５】
スイッチ１３５は、分割フレームに付与された送信ポート番号に対応する送信部１３３へ分割フレームを送る。送信部１３３は、到達した分割フレームを再びスロット（コンテナ）に収容し、対向装置（次の装置）へ向けて送出する。また、各受信部１３１及び各送信部１３３は、各受信ポート及び送信ポートにおいて、アップリンク及びダウンリンクの無線データを同期させるためのタイミング調整を行う。制御部１３８は、制御信号に基づき、振分テーブル１３４の書き換えや、伝送路の障害のような各種のエラーを通知する処理を行う。
【００７６】
図７Ｂに示すように、図７Ａに示した中継装置１３における受信部１３１、振分処理部１３２、及び送信部１３３としての機能は、例えば、ＤＳＰ１３６がメモリ１３４Ａに格納されたプログラムを実行することによって実現される。メモリ１３４Ａは、ＤＳＰ１３６によって実行されるプログラムと、プログラムの実行に際して使用されるデータを記憶する。また、振分テーブル１３４は、メモリ１３４Ａに記憶される。
【００７７】
また、制御部１３８の機能は、ＭＰＵ１３８Ａがメモリ１３９に記憶されたプログラムを実行することによって実現される。メモリ１３９は、ＭＰＵ１３８Ａによって実行されるプログラムと、プログラムの実行に際して使用されるデータを記憶する。なお、メモリ１３４Ａ及びメモリ１３９の詳細構成は、上述したメモリ１１１ｂと同様の構成を適用可
能である。
【００７８】
図９は、中継装置１３での処理の概要説明図である。図９において、或る受信ポートから１スロットセット（コンテナ）に格納された分割フレーム（受信レイヤ２ａデータ）が受信されると、受信部１３１は、各スロットから分割フレームを取り出し、振分委処理部１３２に供給する（図９（１））。
【００７９】
振分処理部１３２は、各分割フレームのヘッダに含まれた宛先ＩＤに対応する送信ポート番号を振分テーブル１３４から取得し、スイッチ１３５を介して送信ポート番号を有する送信ポートを収容する送信部１３３に送る。すなわち、分割フレームの宛先ＩＤに応じた送信ポートへの振分が行われる（図９（２））。
【００８０】
各送信部１３３は、分割フレームを再びスロットに格納し（図９（３））、スロットセット（コンテナ）として送信ポートから対向装置へ送信する（図９（４））。
【００８１】
図９に示したように、中継装置１３では、スロットセット（コンテナ）単位で次の装置（対向装置）へ分割フレームが伝送される。このとき、ＵＭＴＳフレームの送信タイミングとの同期がとられる。また、レイヤ２ａパスについて、スロットセットを構成するスロットの数Ｍより多くのＢＢＵ-ＲＲＨ間のリンクを中継装置１３に通すことはできない。
【００８２】
なお、図９の（１）〜（４）に示した１スロットセットに対する処理は、所定の周期Ｔで繰り返し実施される。周期Ｔは中継装置１３における処理遅延となる。ＢＢＵ１１とＲＲＨ１２との間で分割フレームが経由する全中継装置における周期Ｔの合計値は、ＢＢＵ-ＲＲＨ間の伝送遅延を除いた遅延時間となる。これに鑑み、周期Ｔの値は、中継装置１
３毎に、中継装置１３の処理性能やＢＢＵ-ＲＲＨ間の経路上に配置された中継装置の数
，及びシステムが許容する無線信号（ＵＭＴＳフレーム）の遅延量に基づき決定される。
【００８３】
＜基地局装置（基地局システム）の設定例＞
次に、ここまでに説明した構成を用いて構築された基地局装置（基地局システム）の例について説明する。図１０は、基地局システムのレイヤ２ａに係る設定例を示す。図１０には、図２と異なり、４つのＢＢＵ１１と、４つのＲＲＨ１２とが４つの中継装置１３を用いて接続された基地局装置（基地局システム）が示されている。図１０に示された装置間のリンクの近傍に表記された“Ｐ１”〜“Ｐ４”は、当該リンクに係る送信ポート番号又は受信ポート番号を示す。
【００８４】
図１１Ａは、図１０に示した中継装置１３（中継装置＃２）のポート番号“Ｐ２”を有する受信ポートに対応する振分テーブル１３４の登録内容の例を示す。図１１Ｂは、図１０に示した中継装置１３（中継装置＃４）のポート番号“Ｐ２”を有する受信ポートに対応する振分テーブル１３４の登録内容の例を示す。
【００８５】
図１１Ａ及び図１１Ｂの登録内容に従えば、ＢＢＵ１１（ＢＢＵ＿ＩＤ＃４）から送信された分割フレームは、中継装置１３（中継装置＃２）において、その宛先ＩＤに応じて中継装置＃３と中継装置＃４とに振り分けられる。すなわち、ＲＲＨ＿ＩＤ＃３（ＲＲＨ＃３）及びＲＲＨ＿ＩＤ＃４（ＲＲＨ＃４）向けの分割フレームは、中継装置＃４に送信され、ＲＲＨ＿ＩＤ＃１（ＲＲＨ＃１）及びＲＲＨ＿ＩＤ＃２（ＲＲＨ＃２）向けの分割フレームは、中継装置＃３に送信される。
【００８６】
中継装置＃４では、分割フレームは、宛先ＩＤに従って、目的のＲＲＨ１３に到達するように、対応する送信ポート振り分けられる。また、中継装置＃３では、図示しない振分テーブルの登録内容に応じて、宛先ＩＤがＲＲＨ＿ＩＤ＃１の分割フレームはポート番号
“Ｐ３”の送信ポートから送信され、宛先ＩＤがＲＲＨ＿ＩＤ＃２の分割フレームはポート番号“Ｐ４”から送信される。
【００８７】
このようにして、中継装置１３では、レイヤ２ａの機能として、分割フレームを宛先ＩＤに応じた送信ポートに振り分けることによって、目的の終端装置（図１０の例ではＲＲＨ１３）に転送される。そして、終端装置間（ＢＢＵ-ＲＲＨ）間では、レイヤ２ｂ以上
の処理が行われることで、ＢＢＵ１１とＲＲＨ１２に論理パスが設定され、直接接続された場合と同様の処理を実行することができる。
＜エラー処理＞
【００８８】
次に、中継装置１３でのレイヤ２ａに係る振分処理（分割フレームの転送処理）時に発生するエラーを検出する処理、及びエラーメッセージを分割フレームの送信元の対向装置へ送るための処理について説明する。
【００８９】
以下の説明において、「送信側終端装置」，「受信側終端装置」，「受信側対向装置」，「送信側対向装置」との用語を用いる。本明細書において、「送信側終端装置」は、ＵＭＴＳフレームから分割フレームを生成する装置を意味し、「受信側終端装置」は、分割フレームからＵＭＴＳフレームを組み立てる装置を意味する。従って、分割フレームが或るＢＢＵ１１で生成されて送信され、或るＲＲＨ１２が分割フレームを受信しＵＭＴＳフレームを組み立てる場合には、或るＢＢＵ１１が送信側終端装置に相当し、或るＲＲＨ１２が受信側終端装置に相当する。逆に、或るＲＲＨ１２が分割フレームを生成及び送信し、或るＢＢＵ１１が分割フレームを受信してＵＭＴＳフレームを組み立てる場合には、或るＲＲＨ１２が送信側終端装置に相当し、或るＢＢＵ１１が受信側終端装置に相当する。
【００９０】
また、「受信側対向装置」は、或る中継装置１３が分割フレームを受信する場合に、当該中継装置１３の上流側において或る中継装置１３の直前に位置し、当該或る中継装置１３へ分割フレームを直接に送信する他の装置を意味する。また、「送信側対向装置」は、或る中継装置１３が分割フレームを送信する場合に、或る中継装置１３の下流側において或る中継装置１３の直後に位置し、或る中継装置１３から分割フレームを直接に受信する他の装置を意味する。
【００９１】
例えば、図２において、中継装置１３ＢがＢＢＵ１１Ｂから受信される分割フレームを中継装置１３Ｃ及び中継装置１３Ｄのそれぞれへ転送する場合、ＢＢＵ１１Ｂは、中継装置１３Ｂの受信側対向装置に相当する（ＢＢＵ１１Ｂは分割フレームの送信側終端装置でもある）。一方、中継装置１３Ｃ及び中継装置１３Ｄのそれぞれは、中継装置１３Ｂの送信側対向装置に相当する。或いは、中継装置１３Ｂが中継装置１３Ｃ及び中継装置１３Ｄのそれぞれから受信される分割フレームをＢＢＵ１１Ｂに転送する場合、中継装置１３Ｃ及び中継装置１３Ｄのそれぞれは、中継装置１３Ｂの受信側対向装置であり、ＢＢＵ１１Ｂは、中継装置１３Ｂの送信側対向装置である（ＢＢＵ１１Ｂは分割フレームの受信側終端装置でもある）。
【００９２】
また、各ＲＲＨ１２（例えばＲＲＨ１２Ａ）は、直接に接続された中継装置１３（例えば、中継装置１３Ｃ）へ分割フレームを送信する場合、当該中継装置１３（中継装置１３Ｃ）の受信側対向装置となる。これに対し、各ＲＲＨ１２（例えばＲＲＨ１２Ａ）は、直接に接続された中継装置１３（例えば中継装置１３Ｃ）から分割フレームを受信する場合、当該中継装置１３（例えば中継装置１３Ｃ）の送信側対向装置となる。
【００９３】
図１２は、中継装置１３にて実行されるエラー検出処理の例を示すフローチャートである。図１２に示す処理は、中継装置１３において、分割フレームが振分処理部１３２に供給されることによって開始される。
【００９４】
振分処理部１３２は、分割フレームから宛先ＩＤの取得を試行し（００１）、宛先ＩＤが取得されたか否かを判定する（００２）。このとき、宛先ＩＤが取得された場合には、処理が００３に進む。これに対し、宛先ＩＤが分割フレームから取得されない場合には、エラーであると判定し、処理が０１０に進む。このとき、振分処理部１３２は、分割フレームに宛先ＩＤが含まれていない旨のエラーを制御部１３８に通知する。
【００９５】
００３では、振分処理部１３２は、振分テーブル１３４を参照し、振分テーブル１３４に宛先ＩＤに対応するエントリがあるか否かを判定する（００４）。エントリがある場合には、処理が００５に進み、エントリがない場合には、エラーであると判定し、処理が０１０に進む。このとき、振分処理部１３２は、制御部１３８に対し、エントリがない旨のエラーを通知する。
【００９６】
００５では、振分処理部１３２は、００４で見つかったエントリ中の状態が正常を示すか否かを判定する。このとき、エントリ中の状態が正常を示す場合には、処理が００６に進む。これに対し、エントリ中の状態が正常と異なる状態（障害又は閉塞）を示す場合には、処理が００９に進む。
【００９７】
００９では、振分処理部１３２は、当該エントリ中の宛先ＩＤと同一の宛先ＩＤを含み、且つ当該エントリ中の優先度の次の優先度を含むエントリを探索する。次の優先度を含むエントリがヒットした場合には、処理が００５に戻る。これに対し、次の優先度を含むエントリがヒットしなかった場合には、エラーであると判定され、処理が０１０に進む。このとき、振分処理部１３２は、制御部１３８に対し、宛先ＩＤに対応する全てのエントリが正常でない（異常である）旨を示すエラーを通知する。
【００９８】
００５で肯定判定が行われた場合には、分割フレームは宛先ＩＤに対応する送信ポートを収容する送信部１３３へスイッチ１３５を介して転送される。分割フレームを受け取った送信部１３３は、送信ポートのスロットセット（コンテナ）を確認し（００６）、分割フレームを格納する空きスロットがあるか否かを判定する（００７）。
【００９９】
このとき、空きスロットがあれば、送信部１３３は、空きスロットに分割フレームを格納し（００８）、処理を終了する。分割フレームは、スロットセット（コンテナ）の送信タイミングで送信ポートから送信される。これに対し、空きスロットがない場合には、送信部１３３は、エラーであると判定し、処理が０１０に進む。このとき、空きスロットがない旨のエラーが制御部１３８に通知される。
【０１００】
０１０では、送信元ポート（エラーが発生した分割フレームを受信した受信ポートに対応する送信ポート）のスロットにエラーメッセージ（エラーメッセージを含む分割フレーム）を格納する。
【０１０１】
図１３は、エラーメッセージ処理（０１０の処理）の例を示すフローチャートである。図１３の０１１において、制御部１３８は、振分処理部１３２又は送信部１３３からのエラー通知を受け取ることによって、エラーを検出する。エラー通知には、エラー種別（宛先ＩＤなし、エントリなし、全エントリ異常、空きスロットなし）を示す情報が含まれており、制御部１３８は、エラー種別を認識することができる。また、エラー通知には、エラーに係る宛先ＩＤ（エントリなし、全エントリ異常、空きスロットなし）が含まれる。また、エラー種別“宛先ＩＤなし”の場合には、宛先ＩＤの代わりに、受信ポート番号（メモリ１３４Ａに記憶）が含まれる。
【０１０２】
制御部１３８は、送信元ポートを特定する（０１２）。図１４は、メモリ１３９（図７
Ａ、図７Ｂ）に記憶された管理テーブル１３９Ａのデータ構造例を示す。管理テーブル１３９Ａは、中継装置１３の各受信ポートに対応する振分テーブル１３４の登録内容に加えて、送信元ＩＤ（分割フレームの受信側対向装置の装置ＩＤ）や、各送信ポートにおける空きスロット数のような、分割フレームの転送に係る管理情報を記憶している。また、図１４には図示していないが、分割フレームの送信側終端装置の装置ＩＤも登録されている。
【０１０３】
０１２において、制御部１３８は、エラー通知に含まれる受信ポート番号及び宛先ＩＤの少なくとも一方に対応するエントリを管理テーブル１３９Ａから特定し、特定されたエントリ中の受信ポート番号を得ることによって、送信元ポート番号を特定する。本実施形態では、受信ポート番号と送信ポート番号とが同じ番号であるため、送信元ポートに相当する送信ポートを受信ポート番号の特定によって特定することができる。
【０１０４】
上記の００１２の処理は、以下のような変形が可能である。すなわち、各振分処理部１３２に対応する各メモリ１３４Ａは、自ポートの受信ポート番号（送受信ポート番号）を記憶する。振分処理部１３２は、宛先ＩＤに対応する送信部１３３へ分割フレームを転送する場合に、受信ポート番号を付与する。振分処理部１３２及び送信部１３３のそれぞれは、受信ポート番号を含むエラー通知を制御部１３８に与える。このような構成が採用される場合には、制御部１３８は、受信ポート番号を送信元ポート番号として扱うことができるので、管理テーブル１３９Ａを参照することなく、エラー通知の参照によって、送信元ポートを特定することができる。
【０１０５】
次に、制御部１３８は、０１２で特定したエントリに含まれた送信元ＩＤを取得することで、分割フレームの受信側対向装置（分割フレームの上流側の対向装置）のＩＤを特定する（０１３）。次に、制御部１３８は、エラーメッセージを生成する（０１４）。すなわち、制御部１３８は、例えば、エラー種別、中継装置１３の装置ＩＤ、分割フレームの宛先ＩＤ、及びエラーメッセージの宛先ＩＤである受信側対向装置の装置ＩＤを含むことができる。
【０１０６】
次に、制御部１３８は、エラーメッセージの送信指示を送信元ポートに対応する送信部１３３に与える（０１５）。送信部１３３は、エラーメッセージを含む分割フレームをスロットに格納する（０１７）。分割フレームのヘッダには、受信側対向装置のＩＤが宛先ＩＤとして設定される。その後、エラーメッセージを含む分割フレームは、スロットセット単位で対向装置へ送出される。
【０１０７】
但し、上述した図１３の処理において、エラー種別が「宛先ＩＤなし」である場合には、０１３において、受信側対向装置の装置ＩＤの代わりに、送信側終端装置の装置ＩＤが取得され、分割フレームのヘッダには、宛先ＩＤとして、送信側終端装置の装置ＩＤが設定される。送信側終端装置（ＢＢＵ１１又はＲＲＨ１２）では、エラーメッセージはＣＰＲＩインタフェース部１１４又は１２１から保守監視制御部１１１又は１２５に与えられる。すると、保守監視制御部１１１又は１２５は、分割フレームに宛先ＩＤを付与するために、ＣＰＲＩインタフェース部１１４又は１２１に宛先ＩＤを通知する。
【０１０８】
上記のようなエラーメッセージ処理によれば、分割フレームに宛先ＩＤが含まれていない場合には、エラー種別「宛先ＩＤなし」を示すエラーメッセージが送信側終端装置へ送られる。
【０１０９】
また、中継装置１３の振分処理部１３２において、分割フレームに含まれた宛先ＩＤに対応するエントリが振分テーブル１３４から発見されない場合には、エラー種別「エントリなし」のエラーメッセージが受信側対向装置へ送られる。
【０１１０】
また、振分テーブル１３４中の宛先ＩＤに対応するエントリの全てが送信ポートの障害又は閉塞を示す（正常状態のエントリがない）場合にも、エラー種別「全エントリ異常」のエラーメッセージが受信側対向装置へ送られる。
【０１１１】
さらに、分割フレームを格納する空きスロットがない場合にも、エラーメッセージが受信側対向装置へ送られる。中継装置１３において、或る送信ポートから送信されるスロットセット（コンテナ）に含まれるスロット数（Ｍ）は、当該送信ポートの伝送容量に応じて決定される。したがって、中継装置１３内において、スロットセットを形成するスロット数Ｍが送信ポート毎に異なる場合がある。このため、スロットセットを形成するＭ個のスロットが全て使用中である場合が起こり得る。エラーメッセージが送信される場合には、エラー検出に使用された分割フレームは破棄される。
【０１１２】
なお、図１２に示した処理では、送信部１３３が空きスロットがないことを制御部１３８に通知している。これに対し、振分処理部１３２が、分割フレームを送信部１３３へ送る前に、宛先ＩＤを制御部１３８に通知して、対応する空きスロットの有無を問い合わせる。制御部１３８は、管理テーブル１３９Ａを参照して、空きスロットの有無を確認し、その結果を振分処理部１３２に返す。振分処理部１３２は、空きスロットがあれば、分割フレームを送信部１３３に送る。これに対し、空きスロットがなければ、振分処理部１３２は、分割フレームを破棄する。制御部１３８は、エラーメッセージを送信元ポートの送信部１３３に送る。このような構成を適用することもできる。
＜中継装置の制御＞
次に、中継装置１３における制御、及びＢＢＵ１１又はＲＲＨ１２による中継装置１３の制御について説明する。
＜＜エラーメッセージ受信時の処理＞＞
【０１１３】
図１５は、受信側対向装置としての中継装置１３がエラーメッセージを受信した場合における制御動作例を示す図である。最初の０２１では、中継装置１３の制御部１３８がエラーメッセージを受領する。すなわち、中継装置１３の受信部１３１は、エラーメッセージの分割フレームを取得する。振分処理部１３２が、分割フレームに付与された宛先ＩＤが自中継装置１３の装置ＩＤである場合には、分割フレームの内容（エラーメッセージ）が、ＳＷ１３５を介して制御部１３８に提供される。
【０１１４】
例えば、振分テーブル１３４に、自中継装置１３のＩＤが登録された特別なエントリが用意され、当該特別なエントリがヒットした場合に、振分処理部１３２は、分割フレーム内の情報を制御部１３８に通知する構成を適用することができる。もっとも、当該構成は１つの例であり、宛先ＩＤが自装置のＩＤであった場合に、振分処理部１３２が制御部１３８に分割フレーム内の情報を通知する様々な構成を適用することができる。
【０１１５】
エラーメッセージを受領した制御部１３８は、管理テーブル１３９Ａを参照し、エラーメッセージに含まれた宛先ＩＤに対応する受信ポート番号及び送信ポート番号を管理テーブル１３９Ａから取り出し、当該受信ポート番号に対応する振分処理部１３２に対し、状態変更指示を与える。状態変更指示は、エラーメッセージに含まれた宛先ＩＤと、管理テーブル１３９Ａから取り出された送信ポート番号とを含む。振分処理部１３２は、状態変更指示に従って、状態変更指示に含まれた宛先ＩＤ及び送信ポート番号が登録された振分テーブル１３４のエントリにおける状態を「障害」に変更する（０２２）。
【０１１６】
なお、上記した変形例のように、受信ポート番号（受信ポート番号＝送信ポート番号）が予めメモリ１３９などに記憶され、エラーメッセージが制御部１３８に通知される場合に、受信ポート番号がエラーメッセージとともに制御部１３８に通知される構成が採用さ
れても良い。この場合、上記の０２２の処理における、管理テーブル１３９Ａの参照による受信ポート番号の取り出しは省略される。
【０１１７】
このとき、管理テーブル１３９Ａに登録された状態情報も、同期をとって更新される。さらに、エラー種別が管理テーブル１３９Ａ（メモリ１３９）に記憶され、管理情報として使用されるようにすることもできる。
【０１１８】
振分処理部１３２は、振分テーブル１３４を参照し、状態を障害に変更したエントリの宛先ＩＤと同一の宛先ＩＤが登録されたエントリであって、次の優先度が登録されたエントリ（状態「正常」）があるか否かを判定する（０２３）。該当エントリがない場合には、図１５に示す処理が終了し、受信ポートから受信される分割フレームについては、次の優先度に係るエントリに登録された送信ポート番号の送信ポートから分割フレームが送信される状態となる。
【０１１９】
これに対し、次の優先度のエントリがない場合には、その旨が振分処理部１３２から制御部１３８に通知される。すると、制御部１３８は、宛先ＩＤに関する「全エントリ異常」のエラーメッセージを生成し、受信側対向装置の送信部１３３にエラーメッセージを与える。送信部１３３は、当該エラーメッセージを含む分割フレームを受信側対向装置へ送信する（０２４）。
【０１２０】
このようにして、エラーメッセージを受信した受信側対向装置としての中継装置１３は、エラーメッセージに対応する振分テーブル１３４のエントリ中の状態を障害に設定する。このとき、次の優先度に係るエントリがある場合には、中継装置１３は、当該エントリに登録された送信ポート番号（エラーに係る送信ポート番号と異なる）の送信ポートから分割フレームを送信する状態となる。これによって、分割フレームを送信するための送信ポートが変更されるため、分割フレームは、異なる経路を辿って受信側終端装置へ到達する状態となる。すなわち、分割フレームの伝送経路が変更される。
【０１２１】
なお、０２４で送信されたエラーメッセージを含む分割フレームを受信する受信側対向装置が中継装置１３である場合には、図１５の処理が実行される。ここで、宛先ＩＤに対応する次の優先度のエントリ（状態「正常」）がある場合には、そのエントリが使用されることで、分割フレームの経路変更がなされることになる。
＜＜ＢＢＵ１１又はＲＲＨ１２による中継装置１３の制御＞＞
【０１２２】
次に、エラーメッセージ（を含む分割フレーム）が分割フレームの送信側終端装置（ＢＢＵ１１又はＲＲＨ１２）に到着した場合における処理（中継装置の制御）について説明する。
【０１２３】
送信側終端装置では、分割フレームに格納されたエラーメッセージ（エラー種別「全エントリ異常」又は「空きスロットなし」）が、ＣＰＲＩインタフェース部１１４（１２１）から保守監視制御部１１１（１２５）へ送られる。保守監視制御部１１１（１２５）は、エラーメッセージに応じて、以下の対応を図ることができる。
（１）終端装置間（ＢＢＵ１１-ＲＲＨ１２間）における分割フレームの転送経路を変更
する。
（２）ＢＢＵ１１とＲＲＨ１２の組み合わせを変更する。
【０１２４】
上記の（１）及び（２）の対応は、終端装置からの中継装置１３の制御を通じて行うことができる。上述したように、中継装置１３の制御として、「リセット（再起動）」、「閉塞」、「振分テーブルの書換」を実行することができる。以下、上記（１）及び（２）の動作について説明する。
＜＜分割フレームの伝送経路変更＞＞
【０１２５】
説明のために、図１６に示す状況を想定する。図１６において、ＢＢＵ１１ＢとＲＲＨ１２Ｂとの間に、ＢＢＵ１１Ｂ-中継装置１３Ｂ-中継装置１３Ｄ-ＲＲＨ１２Ｂの分割フ
レームの伝送経路（レイヤ２ａパス）が設定されている。この状況で、中継装置１３ＤからＲＲＨ１２Ｂへ分割フレームを送信する送信ポートに関して、「空きスロットなし」のエラーが発生した場合には、中継装置１３Ｄから受信側対向装置である中継装置１３Ｂへ、例えばエラー種別「空きスロットなし」のエラーメッセージが送信される。このエラーメッセージによって、中継装置１３Ｂにおいて、エラー種別「全エントリ異常」のエラーが発生した場合には、中継装置１３Ｂから送信側終端装置であるＢＢＵ１１Ｂへ、エラー種別「全エントリ異常」のエラーメッセージが送信される。
【０１２６】
図１７は、中継装置１３の制御コマンド送信に係る処理を示すフローチャートである。なお、以下に示す例では、ＢＢＵ１１（ＢＢＵ１１Ｂ）での処理について説明するが、同様の状況下で実行されるＲＲＨ１２の処理も同様である。また、エラーメッセージが保守サーバ１５のような保守装置に通知され、保守サーバ１５の主導で中継装置１３の制御が行われるようにしても良い。この場合、ＢＢＵ１１の制御部１１１は、保守サーバ１５からの指示を受信し、当該指示に従って、中継装置１３（場合によってはＲＲＨ１２）に対する制御を行う。
【０１２７】
図１７において、ＢＢＵ１１Ｂの保守監視制御部１１１（以下、「制御部１１１」と表記、逆の場合は保守監視制御部１２５）は、エラーメッセージを受領する（０３１）。
【０１２８】
制御部１１１は、メモリ１１１ｂ（逆の場合はメモリ１２５ｂ）に記憶されている保守監視制御情報を参照する。保守監視制御情報は、ＢＢＵ１１とＲＲＨ１２との間に設けられた複数の分割フレームの伝送経路情報を含む。
【０１２９】
伝送経路情報は、例えば、ＢＢＵ１１とＲＲＨ１２との間に用意された経路毎に、当該経路上に位置する中継装置１３の装置ＩＤと、当該中継装置１３が有する振分テーブル１３４の登録内容と、当該中継装置１３の空きポート情報とを含む。また、伝送経路情報は、送信側終端装置及び受信側終端装置のそれぞれの空きポート情報を含むこともできる。
【０１３０】
制御部１１１は、伝送経路情報を用いて、代替経路を決定する（０３２）。代替経路の決定方法は、特に問わない。制御部１１１は、代替経路として、例えば、ＢＢＵ１１Ｂ→中継装置１３Ｂ→中継装置１３Ｃ→ＲＲＨ１２Ｂの代替経路を決定する。ここで、中継装置１３ＣからＲＲＨ１２Ｂの間には、中継装置１３Ｃに到着した分割フレームをＲＲＨ１２Ｂに伝送する運用中のレイヤ２ａパスがあると仮定する。
【０１３１】
この場合、制御部１１１は、代替経路の設定のために、中継装置１３Ｂ及び中継装置１３Ｃに対する振分テーブル１３４の書換制御を決定し、中継装置１３Ｂ向けの制御コマンド（制御情報）を生成する（０３３）。
【０１３２】
第１に、中継装置１３Ｂ向けに、制御コマンドとして、制御対象の中継装置１３Ｂの装置ＩＤと、制御コマンド「閉塞」を示す制御コマンドＩＤと、書換対象の振分テーブル１３４に係る受信ポート番号と、分割フレームの宛先ＩＤとがＣＰＲＩインタフェース部１１４（逆の場合はＣＰＲＩインタフェース部１２１）に与えられる（０３３）。
【０１３３】
次に、ＣＰＲＩインタフェース部１１４は、分割フレームのヘッダに制御コマンドを設定する（０３４）。そして、ＣＰＲＩインタフェース部１１４は、制御コマンドを含む分割フレームを中継装置１３Ｂに送信する（０３５）。
【０１３４】
図１８は、中継装置１３における制御コマンド受信時の処理例を示すフローチャートである。中継装置１３Ｂでは、振分処理部１３２が、分割フレームのヘッダに含まれた宛先ＩＤ（中継装置１３ＢのＩＤ）に基づき、制御コマンドを制御部１３８に送信する。これによって、制御部１３８は、制御コマンドを受領する（０４１）。
【０１３５】
次に、制御部１３８は、制御コマンド中の制御コマンドＩＤから制御コマンド種別が「閉塞」であるか否かを判定する（０４２）。ここでは、制御コマンド種別は「閉塞」であるので、受信ポート番号に対応する振分処理部１３２に対し、宛先ＩＤに対応する振分テーブル１３４中の全エントリにおける状態を「閉塞」に設定する（０４３）。「閉塞」状態では、ユーザデータは転送できなくなるが、制御コマンドは転送可能な状態となる。これによって、振分テーブル１３４の当該宛先ＩＤに対応するエントリの全てが障害状態となるので、エラー種別「全エントリ異常」のエラーメッセージが作成され、受信側対向装置へ送信される（０４３Ａ、図１３参照）。
【０１３６】
上記のような制御コマンド「閉塞」に係る処理によって、中継装置１３の上流側の装置は、当該中継装置１３の該当受信ポート宛てに、通常の分割フレームを送信できない状態となる。図１６の例では、中継装置１３Ｂから中継装置１３Ｄへの送信ポートが閉塞された状態となる。
【０１３７】
なお、制御部１３８は、「閉塞」に係る処理が完了した場合には、完了メッセージを送信側終端装置（ＢＢＵ１１Ｂ）へ送ることもできるが、このような完了メッセージの返信はオプションである。
【０１３８】
第２に、制御部１１１は、中継装置１３Ｂ向けに、制御コマンドとして、制御対象の中継装置１３Ｂの装置ＩＤ（宛先ＩＤ）と、制御コマンド「振分テーブル書換」を示す制御コマンドＩＤと、書換対象の振分テーブル１３４に係る受信ポート番号とをＣＰＲＩインタフェース部１１４に与える。
【０１３９】
ここで、中継装置１３の振分テーブル１３４の書換が行われる場合には、制御対象の中継装置１３で終端される、レイヤ３信号中の制御監視用のチャネル信号を使用して、データ（書換内容）が送信される。
【０１４０】
具体的な書換内容としては、例えば、“宛先ＩＤ（ＲＲＨ１２ＢのＩＤ），中継装置１３Ｃへの送信ポート番号，優先度１”である。このような書換内容がＣＰＲＩインタフェース部１１４に与えられる。ＣＰＲＩインタフェース部１１４は、書換内容と制御コマンドとを含み、中継装置１３ＢのＩＤが宛先ＩＤとして設定されたＣＰＲＩ信号を生成し、中継装置１３Ｂへ送信する。このようなＣＰＲＩ信号（制御信号の一例である）が送信される間、通常の（ユーザデータの）分割フレームが当該レイヤ２ａパス上を伝送されないように、「閉塞」処理が実行される。なお、閉塞状態は、別の制御コマンドによって解除される。
【０１４１】
中継装置１３Ｂでは、制御コマンド「振分テーブル書換」に係るＣＰＲＩ信号が受信され、振分処理部１３２にて、制御コマンド中の宛先ＩＤから、当該制御コマンドが制御部１３８に与えられる（図１８の０４１）。制御部１３８は、制御コマンドＩＤが「振分テーブル書換」を示すので（図１８の０４４のＹ）、書換内容に従って、対応する振分テーブル１３４の登録内容を書き換える指示を振分処理部１３２に与える。
【０１４２】
これによって、振分処理部１３２は、振分テーブル１３４に、書換内容を書き込む（図１８の０４５）。これによって、振分テーブル１３４に、中継装置１３Ｃに分割フレーム
を送信するための新たなエントリが登録される。このとき、新たなエントリの状態は「閉塞」に設定される。従って、当該エントリに関して、ユーザデータは転送されないが、制御コマンドは中継装置１３Ｃに転送可能な状態となる。なお、新たなエントリを追加する代わりに、振分テーブル１３４中の宛先ＩＤに対応する中継装置１３Ｄ向けの既存エントリの送信ポート番号を中継装置１３Ｃ向けの送信ポート番号に書き換える処理が実行されるようにしても良い（書き換えられたエントリの状態は「閉塞」に設定される）。このとき、当該振分テーブル１３４に中継装置１３ＤのＩＤを宛先ＩＤとするエントリがなければ、中継装置１３Ｄに制御信号（制御コマンド）を送るために当該エントリが追加される。
【０１４３】
第３に、制御部１１１は、中継装置１３Ｃ向けに、制御コマンドとして、制御対象の中継装置１３Ｃの装置ＩＤ（宛先ＩＤ）と、制御コマンド「振分テーブル書換」を示す制御コマンドＩＤと、書換対象の振分テーブル１３４に係る受信ポート番号と、書換内容とをＣＰＲＩインタフェース部１１４に与える。具体的な書換内容としては、“宛先ＩＤ（ＲＲＨ１２ＢのＩＤ），ＲＲＨ１２Ｂへの送信ポート番号，優先度１”である。
【０１４４】
ＣＰＲＩインタフェース部１１４は、書換内容と制御コマンドとを含み、中継装置１３ＤのＩＤが宛先ＩＤとして設定されたＣＰＲＩ信号を生成し、中継装置１３Ｂへ送信する。ＣＰＲＩ信号は、中継装置１３Ｂを経由して、中継装置１３Ｃに到達する。そして、図１８に示した振分テーブル１３４の書換処理が行われ、中継装置１３Ｂから送信された分割フレームがＲＲＨ１２Ｂへ転送されるためのエントリが振分テーブル１３４に追加される。このとき、追加エントリの状態は「閉塞」に設定される。
【０１４５】
以上のような中継装置１３Ｂ及び中継装置１３Ｃの経路変更に係る処理が完了すると、ＢＢＵ１１Ｂの制御部１１１は、中継装置１３Ｃの制御部１３８に対して、上記したエントリの閉塞状態を解除する（状態を「正常」にする）制御コマンドを送信する。中継装置１３Ｃの制御部１３８は、制御コマンドを中継装置１３Ｂ経由で受信し、当該エントリの閉塞状態を解除する。
【０１４６】
続いて、ＢＢＵ１１Ｂの制御部１１１は、中継装置１１Ｂの制御部１３８に対して、中継装置１３Ｃへ分割フレームを転送するためのエントリにおける「閉塞」状態を「正常」状態に書き換えるための制御コマンドを送る。これによって、分割フレームは、ＢＢＵ１１Ｂ→中継装置１３Ｂ→中継装置１３Ｃ→ＲＲＨ１２Ｂの経路でＲＲＨ１２Ｂに到達する（図１６の実線矢印参照）。すなわち、分割フレームの伝送経路が切り替えられる。
【０１４７】
その後、ＢＢＵ１１ＢとＲＲＨ１２Ｂとの間で確立された分割フレームの伝送経路を用いて、ＢＢＵ１１Ｂの制御部１１１からＲＲＨ１２Ｂの保守監視制御部１２５（制御部１２５）に対し、上り経路を下り経路に合わせて変更する旨の指示が与えられる。当該指示を受けて、ＲＲＨ１２Ｂの制御部１２５は、分割フレームが中継装置１３Ｃ及び１３Ｂを経由してＢＢＵ１２Ｂに到達するための、振分テーブル１３４の書換制御を中継装置１３Ｃ及び１３Ｂに対して実行する。書換制御の具体的な内容は、図１７及び図１８を用いて説明した処理とほぼ同じであるので説明を省略する。以上のようにして、ＢＢＵ-ＲＲＨ
間でやりとりされるデータの伝送経路を変更することができる。
【０１４８】
また、上記のようなＲＲＨ１２主導での上り経路の設定方法の代わりに、上述したような下り経路に対する伝送経路の切替に係る処理中に、ＢＢＵ１１Ｂが、上りの経路（ＲＲＨ１２Ｂ→中継装置１３Ｃ→中継装置１３Ｂ→ＢＢＵ１１Ｂ）に係る処理を同時期に実施することができる。すなわち、上述したような、下り経路変更用の制御コマンドとともに、上り経路変更用の制御コマンドを中継装置１３Ｃ及び中継装置１３Ｂに提供することによって、上り経路に係る振分テーブル１３４の内容を変更することができる。
【０１４９】
なお、図１８に示すように、制御部１３８は、制御部１１１又は制御部１２５から発行された制御コマンド「リセット」を受領した場合（０４４のＹ）には、自装置の再起動処理を実行する。リセットによる制御は、例えば、中継装置１３の装置障害の検出時に実行される。装置障害が所謂ソフトエラーにより発生している場合には、リセット（再起動）によって当該ソフトエラーを解消できる可能性があるからである。
＜＜伝送路障害発生時における動作（伝送経路変更含む）＞＞
【０１５０】
次に、伝送路障害発生時における中継装置１３及び送信側終端装置の動作及び処理について説明する。説明のため、図１６に示したように、ＢＢＵ１１ＢとＲＲＨ１２Ｂとの間に、ＢＢＵ１１Ｂ-中継装置１３Ｂ-中継装置１３Ｄ-ＲＲＨ１２Ｂの分割フレームの伝送
経路（レイヤ２ａパス）が設定されている例を想定する。このような状況で、中継装置１３ＤとＲＲＨ１２Ｂとを結ぶ物理回線（光ファイバ）が切断された場合を仮定する。
【０１５１】
図１９は、伝送路障害時における中継装置での処理例を示すフローチャートである。図１９において、中継装置１３（例えば、図１６における中継装置１３Ｄ）は、下流側の物理回線が切断されると、例えば、光モジュール１３７での受光レベルが閾値を下回る。制御部１３８は、このような受光レベルの低下を検出することによって、物理回線の切断を検出する（０５１）。
【０１５２】
制御部１３８は、物理回線の切断に関係する送信ポートの状態を「障害」状態として管理する（０５２）。送信ポートの状態は、例えば管理テーブル１３９Ａにて管理される。
【０１５３】
続いて、制御部１３８は、０５２にて障害状態とした送信ポートの送信ポート番号を含むエントリが各振分テーブル１３４に含まれているか否かを判定する（０５３）。このとき、障害に係る送信ポート番号のエントリがいずれの振分テーブル１３４にも登録されていなければ、図１９の処理が終了する。
【０１５４】
これに対し、障害に係る送信ポート番号のエントリがある場合には、制御部１３８は、当該エントリを含む振分テーブル１３４のそれぞれに関して、当該エントリの状態を「障害」に変更する（０５４）。
【０１５５】
次に、制御部１３８は、状態が「障害」に変更されたエントリを含む振分テーブル１３４に当該エントリの宛先ＩＤと同一の宛先ＩＤが登録された次の優先度のエントリ（状態「正常」）があるか否かを判定する（０５５）。このとき、状態が「障害」に変更されたエントリを含む全ての振分テーブル１３４が、次の優先度のエントリを有している場合には、図１９の処理が終了する。
【０１５６】
これに対し、或る振分テーブル１３４について、次の優先度のエントリがない場合には、図１３に示したエラーメッセージ処理と同様の処理が行われ、エラーメッセージ（障害通知）が、当該振分テーブル１３４に対応する受信ポートの対向装置に対して送信される。当該エラーメッセージ（障害通知）の送信は、次の優先度のエントリを含まない振分テーブル１３４毎に実行される。
【０１５７】
図２０は、伝送路障害時における動作を示すシーケンス図である。ＲＲＨ１２Ｂと中継装置１３Ｄのポート（図２０の例ではポート＃２）との間の物理回線が切断されると（図２０＜１＞）、中継装置１３Ｄの制御部１３８で物理回線の切断が検出される（図２０＜２＞）。
【０１５８】
このとき、制御部１３８は、図１９の０５２〜０５４の処理を行い、障害に係るエント
リの状態を「障害」に設定する。図２０の例では、ポート＃１及び＃０に係る振分テーブル１３４に対する状態の変更指示が各振分処理部１３２に与えられ（図２０＜３＞及び＜４＞）、各振分処理部１３２がエントリの状態を書き換える（図２０＜５＞及び＜６＞）。
【０１５９】
ポート＃０に係る振分テーブル１３４では、該当エントリの状態が障害に書き換えられた結果、送信ポート番号（ポート＃２）に係るエントリの全てが障害となる（図２０＜７＞）。
【０１６０】
この場合、エラーメッセージ処理が実行され、障害通知のエラーメッセージ（障害通知）が中継装置１３Ｂに送信される（図２０＜８＞）。中継装置１３Ｂでは、該当エントリが障害状態に変更される（図２０＜９＞）中継装置１３Ｂでも、当該宛先ＩＤに対応するエントリの全てが障害状態となる場合には（図２０＜１０＞）、障害通知がＢＢＵ１１Ｂに与えられる（図２０＜１１＞）。ＢＢＵ１１Ｂは、経路変更処理を行う（図２０＜１２＞）。
【０１６１】
経路変更処理の内容は、図１７及び図１８を用いて説明した処理と同じであるので説明を省略する。経路変更によって、中継装置１３Ｂ-中継装置１３Ｄ-ＲＲＨ１２Ｂの伝送路（図１６の破線矢印参照）が、迂回経路である中継装置１３Ｂ-中継装置１３Ｃ-ＲＲＨ１２Ｂ（図１６の実線矢印参照）に変更される。
【０１６２】
エラー検出時との違いは、伝送路障害時では、その影響が複数の送信ポートに及ぶことがあるので、複数の送信ポートが使用不可の場合に、それぞれの送信ポートに対応する振分テーブル１３４の該当エントリの状態が「障害」に変更されることにある。
＜＜ＢＢＵとＲＲＨとの組み合わせ変更＞＞
【０１６３】
次に、ＢＢＵ１１とＲＲＨ１２との組み合わせ変更時における処理について説明する。例えば、図２において、ＲＲＨ１２Ａ及びＲＲＨ１２Ｂのそれぞれは、中継装置１２Ａ及び中継装置１３Ｃを介してＢＢＵ１１Ａとの間で分割フレームを送受信し、ＲＲＨ１２Ｃは、中継装置１３Ｂ及び中継装置１３Ｄを介してＢＢＵ１１Ｂとの間で分割フレームを送受信する運用がなされていると仮定する。
【０１６４】
保守サーバ１５が、ＲＲＨ１２Ｂの接続先（従属先）をＢＢＵ１１ＡからＢＢＵ１１Ｂに変更する指示がＢＢＵ１１Ａ及びＢＢＵ１１Ｂの各制御部１１１に与えられた場合には、次のような処理が行われる。
【０１６５】
すなわち、ＢＢＵ１１Ａの制御部１１１は、ＲＲＨ１２Ｂの制御部１２５に対し、ＲＲＨ１２ＢとＢＢＵ１１Ａとの接続を解除する指示を与える。すると、ＲＲＨ１２Ｂの制御部１２５は、上述した制御コマンド「閉塞」を用いて、中継装置１３Ｃに対し、ＢＢＵ１１ＡのＩＤである宛先ＩＤとＲＲＨ１２Ｂからの分割フレームを中継装置１３Ａへ送信する送信ポートの送信ポート番号との対応関係が記憶された全てのエントリの状態を「閉塞」に設定する。或いは、制御部１２５は、上述した制御コマンド「振分テーブルの書換」を用いて、上記した対応関係が記憶された全てのエントリを削除する。これによって、ＲＲＨ１２ＢからＢＢＵ１１Ａへ送信された分割フレームがＢＢＵ１１Ａに到達しない状態となる。
【０１６６】
一方、ＢＢＵ１１Ａは、ＲＲＨ１２ＢのＩＤである宛先ＩＤと、分割フレームをＲＲＨ１２Ｂへ送信する送信ポートの送信ポート番号との対応関係が記憶されたエントリの全ての状態を「閉塞」に変更するための制御コマンド「閉塞」を中継装置１３Ｃに送る。中継装置１３Ｃは該当エントリの全ての状態を「閉塞」に変更する。或いは、制御コマンド「
振分テーブルの書換」を用いて、上記対応関係が記憶された全てのエントリを削除しても良い。さらに、ＢＢＵ１１Ａの制御部は、ＲＲＨ１２Ｂとの間で送受信されるユーザデータに係るベースバンド処理用のリソースをＲＲＨ１２Ａとの間で送受信されるユーザデータに係るベースバンド用のリソースとして使用する（リソース割当を変更する）ことができる。
【０１６７】
一方、ＢＢＵ１１Ｂは、ＲＲＨ１２Ｂとの接続関係を構築すべく、制御コマンド「振分テーブルの書換」を用いて、例えば、宛先ＩＤとしてのＲＲＨ１２ＢのＩＤと、分割フレームをＲＲＨ１２Ｂへ送信する送信ポートの送信ポート番号とを含むエントリを振分テーブル１３４に追加するための制御コマンド「振分テーブルの書換」に係るＣＰＲＩ信号を中継装置１３Ｄに送る。中継装置１３Ｄは該当する振分テーブル１３４に該当エントリを追加する。これによって、ＢＢＵ１１ＢからＲＲＨ１２Ｂへの分割フレームの伝送経路が形成される。
【０１６８】
ＢＢＵ１２Ｂの制御部１１１は、さらに、ＲＲＨ１２Ｂの制御部１２５に対して、ＢＢＵ１１Ａへの分割フレームの伝送経路を形成する旨の指示を与える。すると、制御部１２５は、制御コマンド「振分テーブルの書換」を用いて、中継装置１３Ｄに対し、ＢＢＵ１１ＢのＩＤ（宛先ＩＤ）と分割フレームを中継装置１３Ｂへ送信する送信ポートの送信ポート番号とを含むエントリを所定の振分テーブル１３４に追加する制御を行う。これによって、ＲＲＨ１２ＢからＢＢＵ１１Ｂへのデータの伝送経路が形成された状態となる。
【０１６９】
さらに、ＢＢＵ１１Ｂの制御部１１１とＲＲＨ１２Ｂの制御部１２５は、上位アプリケーションの機能として、ＢＢＵ１１ＢとＲＲＨ１２Ｂとの間のＣＰＲＩリンクのネゴシエーションを行い、両者間にＣＰＲＩリンクを設定する。当該ＣＰＲＩリンクの設定は既存技術であるため、詳細な説明は省略する。このようにして、基地局装置１０では、ＢＢＵ１１とＲＲＨ１２との接続関係の変更を、振分テーブル１３４に対するエントリの書換（エントリの削除、エントリの追加）によって実現することができる。
＜実施形態の作用効果＞
【０１７０】
実施形態に係る基地局装置（基地局システム）１０によると、振分テーブル１３４の書換（エントリ追加、エントリ削除、エントリの登録内容の一部変更）によって、分割フレームを送信する送信ポートを変更することができる。これによって、運用中にＲＲＨ１２の接続先のＢＢＵ１１を他のＢＢＵ１１に変更することができる。
【０１７１】
例えば、図２１に示す例では、日中では、ＲＲＨ１２Ａ及びＲＲＨ１２Ｂのユーザ（接続される移動端末）がそれぞれ少なく、ＲＲＨ１２Ｃに接続される移動端末の数が多いのに対して、夜間では、ＲＲＨ１２Ａのユーザ数が増加し、ＲＲＨ１２Ｂ及びＲＲＨ１２Ｃのユーザ数が減少する。このため、日中では、ＲＲＨ１２Ａ及びＲＲＨ１２ＢをＢＢＵ１１Ａに接続し、夜間では、ＲＲＨ１２Ｂの接続先をＢＢＵ１１Ｂに切り替える。例えば、所定の時刻（例：１８時及び９時）にＲＲＨ１２Ｂが接続されるＢＢＵ１１の変更処理が実行される。
【０１７２】
これによって、ユーザ数の多いＲＲＨ１２に対して多くのベースバンド処理用のリソースを割り当てることができる。また、イベント、事故、災害などで突発的に或るＲＲＨ１２に対するユーザリソースの増加が望まれる場合に、接続先のＢＢＵ１１を切り替えることによって、リソースを増やすことができる。このように、実施形態よれば、複数のＢＢＵ１１のリソースを有効に利用することができる。
【０１７３】
また、ＢＢＵ１１の障害時には、障害の生じたＢＢＵ１１の配下にある各ＲＲＨ１２が接続先を他のＢＢＵに切り替えることで、通信サービス障害の発生を回避、又は障害範囲
を小さくすることができる。図２２に示す例では、ＢＢＵ１１Ｅが障害により動作を停止した場合には、移動端末は、ＢＢＵ１１Ｅの配下のＲＲＨ１２Ｄ，ＲＲＨ１２Ｅ，ＲＲＨ１２Ｆを用いて通信を行うことができなくなる。
【０１７４】
保守サーバ１５は、ＢＢＵ１１Ｅと、隣接するＢＢＵ１１Ｄ及びＢＢＵ１１Ｆを監視している。保守サーバ１５は、ＢＢＵ１１Ｅの障害を検出すると、ＢＢＵ１１Ｄに対してＲＲＨ１２Ｄとの接続を指示し、ＢＢＵ１１Ｆに対してＲＲＨ１２Ｅ及びＲＲＨ１２Ｆとの接続を指示する。これによって、ＢＢＵ１１Ｄは、上述した「ＢＢＵとＲＲＨとの組み合わせ変更」において説明した動作や処理と同様の処理を行うことで、ＲＲＨ１２Ｄを配下に入れることができる。また、ＢＢＵ１１Ｆも、ＲＲＨ１２Ｅ及びＲＲＨ１２Ｆを配下に入れることができる。これによって、ＢＢＵ１１Ｅの障害に伴うサービス障害を回避又は抑制することができる。なお、図２１及び図２２では、中継装置１３の図示は省略している。
【０１７５】
また、図１６などを用いて説明したように、ＢＢＵ-ＲＲＨ間の物理回線障害時や、エ
ラー発生時において、迂回路（経路変更）によってサービス停止を回避することができる。
【０１７６】
さらに、ＲＲＨ１２の接続先のＢＢＵ１１を変更することによって、省電力を図ることができる。例えば、図２において、ＲＲＨ１２Ａ，１２Ｂ及び１２Ｃの全てがＢＢＵ１１ＡとＢＢＵ１２Ｂとの一方に接続されるようにすることで、他方の電源をオフにすることができる。これによって、稼働するＢＢＵ数を抑えて省電力を図ることが可能となる。
【符号の説明】
【０１７７】
１０  基地局装置（基地局システム）
１１  ＢＢＵ
１２  ＲＲＨ
１３  中継装置
１１４，１２１  ＣＰＲＩインタフェース部
１１１，１２５  保守監視制御部
１３１  受信部
１３２  振分処理部
１３３  送信部
１３８  制御部
【図１】
2014121054.tif 000003
【図２】
2014121054.tif 000004
【図３Ａ】
2014121054.tif 000005
【図３Ｂ】
2014121054.tif 000006
【図４】
2014121054.tif 000007
【図５】
2014121054.tif 000008
【図６】
2014121054.tif 000009
【図７Ａ】
2014121054.tif 000010
【図７Ｂ】
2014121054.tif 000011
【図８】
2014121054.tif 000012
【図９】
2014121054.tif 000013
【図１０】
2014121054.tif 000014
【図１１Ａ】
2014121054.tif 000015
【図１１Ｂ】
2014121054.tif 000016
【図１２】
2014121054.tif 000017
【図１３】
2014121054.tif 000018
【図１４】
2014121054.tif 000019
【図１５】
2014121054.tif 000020
【図１６】
2014121054.tif 000021
【図１７】
2014121054.tif 000022
【図１８】
2014121054.tif 000023
【図１９】
2014121054.tif 000024
【図２０】
2014121054.tif 000025
【図２１】
2014121054.tif 000026
【図２２】
2014121054.tif 000027